(57)【要約】【課題】  伝送路の遅延によるジッタを防止すること。【解決手段】  ＭＰＥＧ−ＴＳをパケット毎に分割して複数の伝送帯域を介して受信し、該分割したパケットを合成すると共に時刻基準情報を再スタンプするＰＣＲ再スタンプ装置であって、複数の伝送路を介して複数のパケットを受信する複数の受信用バッファ１２１及び１２２と、該複数の受信用バッファ１２１及び１２２で受信したパケットを１つのストリームとして合成する合成用バッファ１３と、該合成用バッファ１３にパケットが到着した時刻ｔ１を検出する検出回路１７と、ヌルパケットを出力するヌルバッファ１４と、前記合成用バッファ１３のパケットとヌルバッファ１４からのヌルパケットとを多重化する多重化回路１５と、該多重化回路１５から出力されたパケットの出力時刻ｔ２を検出し、前記時刻ｔ２から時刻ｔ１を減算した値にパケットに記載されている時刻Ｔに加算した時刻を再スタンプする再スタンプ処理部１６とを備えるもの。【選択図】  図１
2005244367.tif 000002
【特許請求の範囲】
【請求項１】
ＭＰＥＧ−ＴＳをパケット毎に分割して複数の伝送帯域を介して受信し、該分割したパケットを合成すると共に時刻基準情報を再スタンプするＰＣＲ再スタンプ装置であって、複数の伝送路を介して複数のパケットを受信する複数の受信用バッファと、該複数の受信用バッファで受信したパケットを１つのストリームとして合成する合成用バッファと、該合成用バッファにパケットが到着した時刻ｔ１を検出する検出回路と、ヌルパケットを出力するヌルバッファと、前記合成用バッファのパケットとヌルバッファからのヌルパケットとを多重化する多重化回路と、該多重化回路から出力されたパケットの出力時刻ｔ２を検出し、前記時刻ｔ２から時刻ｔ１を減算した値にパケットに記載されている時刻Ｔに加算した時刻を再スタンプする再スタンプ処理部とを備えることを特徴とするＰＣＲ再スタンプ装置。
【請求項２】
ＭＰＥＧ−ＴＳをパケット毎に分割して複数の伝送帯域を介して受信し、該分割したパケットを合成すると共に時刻基準情報を再スタンプするＰＣＲ再スタンプ方法であって、複数の伝送路を介して複数のパケットを受信する受信ステップと、前記受信したパケットを１つのストリームとして合成する合成ステップと、該合成ステップにパケットが到着した時刻ｔ１を検出する第１検出ステップと、前記合成ステップにより合成したパケットとヌルパケットとを多重化する多重化ステップと、該多重化ステップにより多重化されたパケットの出力時刻ｔ２を検出する第２検出ステップと、該第２ステップにより検出した時刻ｔ２から第１ステップで検出した時刻ｔ１を減算した値にパケットに記載されている時刻Ｔに加算した時刻を再スタンプする再スタンプステップとを実行することを特徴とするＰＣＲ再スタンプ方法。
【発明の詳細な説明】
【技術分野】
【０００１】
本発明は、例えばデイジタルデータを複数の伝送路を介して分割転送した際に異なる時刻に受信したパケットデータの同期を取るためにＰＣＲ（Ｐｒｏｇｒａｍ  Ｃｌｏｃｋ  Ｒｅｆｅｒｅｎｃｅ：時刻基準情報）の再スタンプを行うＰＣＲ再スタンプ装置及びＰＣＲ再スタンプ方法に関する。
【背景技術】
【０００２】
一般にデジタル放送においては音声データと画像データとをＭＰＥＧ技術を用いて符号化し、この符号化したＭＥＰＧデータをパケットに分割して転送することが行われており、前記パケットデータの同期をとるために各パケットデータにＰＣＲと呼ばれるタイムスタンプを付すことが知られている。従来技術によるデジタル放送のＭＰＥＧ２システムにおいては、正常な画像・音声の再生を行う為に、エンコーダとデコーダは同期した２７ＭＨｚのクロックで動作する必要がある。しかし、ＭＰＥＧパケット列の伝送信号には２７ＭＨｚクロック成分が含まれていないため、エンコーダ側ではＰＣＲを１００ｍｓ周期でＭＰＥＧパケット内の所定エリアに挿入しつづけ、エンコーダ側ではこのＰＣＲパケットより同期クロックを再生している。
【０００３】
また、公知のデジタル放送システムにおいては、複数の番組ソースに対応したＭＰＥＧ−ＴＳ（Ｔｒａｎｓｐｏｒｔ  ｓｔｒｅａｍ）パケットを多重化処理を行う事により伝送効率を上げており、この多重化処理においてエンコーダでは規則的な周期で発生されるＰＣＲパケットが多重化処理における待ち時間等の影響により連続性が崩れてしまう現象（ＰＣＲジッタ）が発生し、これを補正するためにＰＣＲの再スタンプ処理が必要となる。
【０００４】
この再スタンプ処理は、前記複数のエンコーダシステムより入力されるＭＰＥＧ−ＴＳに、ＰＣＲパケットが規則的に配置されたＭＰＥＧ−ＴＳパケット合成処理装置（以下、ＭＰＥＧ−ＴＳ合成装置とする）に入力したとき、一旦ＦＩＦＯなどのバッファに蓄積した後、他のＦＩＦＯとの間で調停後読み出し（多重化処理等の処理）を行い、この多重化処理と同時に行われる。
【０００５】
従来技術によるＰＣＲ再スタンプを行うＭＰＥＧ−ＴＳ合成装置を図２を参照して説明する。図２は、上記したＰＣＲ再スタンプ処理方法をＭＰＥＧ−ＴＳ合成装置に適用した例を説明するための図である。このＰＣＲ再スタンプ装置は、２つの伝送路２１１及び２１２を介してＰＣＲパケットを受信する受信用バッファ２２１及び２２２と、前記受信用バッファ２２１及び２２２で受信したＰＣＲパケットの到達時刻を検出する２つの検出器２７１及び２７２と、前記受信用バッファ２２１及び２２２で受信したＰＣＲパケットを合成するための合成用バッファ２３と、ＭＰＥＧ−ＴＳ合成装置の出力タイミングに合わせて前記合成用バッファ２３からのパケットとヌルバッファ２４からのヌルパケットとを多重化する多重化回路（ＭＵＸ）２５と、該多重化回路（ＭＵＸ）２５から出力されたパケットの出力時刻を検出する検出回路２６１と、該検出回路２６１で検出した時刻を後述する式に従って演算して補正時刻を算出する演算回路２６２と、該演算回路で演算した補正時刻を用いてパケットに再スタンプする再スタンプ回路２６３とから構成される。前記回路２６１〜２６３によってＰＣＲ再スタンプ処理部２６が形成される。
【０００６】
この様に構成されたＭＰＥＧ−ＴＳ合成装置であるＰＣＲ再スタンプ装置は、伝送経路２１１を通してＭＰＥＧ−ＴＳ合成装置に到着したＰＣＲパケットの到着時刻をｔ１とし、同様に伝送経路２１２を通ってＭＰＥＧ−ＴＳ合成装置に到着したＰＣＲパケットの到着時刻をｔ１’としたとき、夫々のパケットが受信用バッファ２２１及び２２２に蓄積された後、伝送経路２１１のパケットの受信タイミングに同期して受信用バッファ２２１及び２２２より読み出され、且つ合成されながら合成用バッファ２３に蓄積される。次いで本ＭＰＥＧ−ＴＳ合成装置は、装置の出力タイミングに合わせて合成用バッファ２３からのパケットとヌルバッファ２４からのヌルパケットを多重化回路２５において多重化した後、ＰＣＲ再スタンプ処理部２６で再スタンプされる。
【０００７】
この再スタンプは、多重化回路２５を通過した後の時刻をｔ２、ｔ２’としたとき、ＭＰＥＧ−ＴＳ合成装置での内部遅延がｔ３＝ｔ２−ｔ１，ｔ３’＝ｔ２’−ｔ１’となり、このｔ３，ｔ３’をＰＣＲパケットに記載されている時刻情報Ｔ，Ｔ’に加算する事によりＰＣＲ再スタンプを実現している。
【０００８】
尚、前述のＰＣＲ処理に関する技術が記載された文献としては下記特許文献が挙げられる。
【特許文献１】特開２００１−０１６２１０号公報
【特許文献２】特開２００２−０２６８８３号公報
【特許文献３】特開２００１−３５８００６号公報
【発明の開示】
【発明が解決しようとする課題】
【０００９】
前述の様に構成された従来技術によるＭＰＥＧ−ＴＳをパケット毎に分割して送信する装置は、伝送経路に送出した時点では各送出パケットの同期させ、各パケットの先頭が同じ時刻になるように送出している。しかしながら、伝送経路は必ずしも等しくはないため、パケット列が各伝送経路において、伝送路間遅延Δｔが発生する可能性は十分考えられる。この遅延Δｔが発生した場合、前記従来技術の如く片方の伝送経路２１１の受信タイミングに同期して合成を行うと、この遅延Δｔ分が常に加算されたＰＣＲ再スタンプを行われるため、Δｔ分がＰＣＲジッタとして現れると言う不具合が生じる。
【００１０】
この分割して伝送される夫々のＭＰＥＧ−ＴＳストリームのパケット列は、一般に運用されているＭＰＥＧ−ＴＳストリームと同じ姿をしているが、一例として各パケットの内部制御情報として連続性を示す巡回カウンタ等は、分割伝送を行う事によりその連続性を失われている。このようなストリーム状態にあるＭＰＥＧ−ＴＳは本来、規格化されているＭＰＥＧ−ＴＳストリームの仕様を逸脱している。このようなストリームに状態にあるＭＰＥＧ−ＴＳに対して、従来のＰＣＲ再スタンプ回路と同様の思想の処理を行う事は不可能である。
【００１１】
特に近年においては、デジタル放送システムにおける放送サービスすなわちＭＰＥＧ−ＴＳパケットの容量が拡大する傾向にあり、それに見合った伝送容量が必要となる。この伝送容量を拡大する方法としては伝送帯域を広げる方法や、変調の方法の変更があるが、容易に伝送容量を増やす手段として、複数の伝送帯域を使用し、１つの放送サービスのＭＰＥＧ−ＴＳをパケット毎に分割して送信する方法が考えられる。このＭＰＥＧ−ＴＳを分割して送信する伝送方式を使用すると、受信側では分割されたＭＰＥＧ−ＴＳを元の１つのストリームのパケット列の戻すための前記ＭＰＥＧ−ＴＳ合成装置が必要となり、前記遅延Δｔ分が常に加算されたＰＣＲ再スタンプを行われてＰＣＲジッタとして現れると言う不具合が生じる。
【００１２】
本発明の目的は、前述の従来技術による不具合を除去することであり、ＰＣＲパケットの遅延を吸収することができるＰＣＲ再スタンプ装置及びＰＣＲ再スタンプ方法を提供することである。
【課題を解決するための手段】
【００１３】
前記目的を達成するため本発明は、ＭＰＥＧ−ＴＳをパケット毎に分割して複数の伝送帯域を介して受信し、該分割したパケットを合成すると共に時刻基準情報を再スタンプするＰＣＲ再スタンプ装置であって、複数の伝送路を介して複数のパケットを受信する複数の受信用バッファと、該複数の受信用バッファで受信したパケットを１つのストリームとして合成する合成用バッファと、該合成用バッファにパケットが到着した時刻ｔ１を検出する検出回路と、ヌルパケットを出力するヌルバッファと、前記合成用バッファのパケットとヌルバッファからのヌルパケットとを多重化する多重化回路と、該多重化回路から出力されたパケットの出力時刻ｔ２を検出し、前記時刻ｔ２から時刻ｔ１を減算した値にパケットに記載されている時刻Ｔに加算した時刻を再スタンプする再スタンプ処理部とを備えることを第１の特徴とする。
【００１４】
また本発明は、ＭＰＥＧ−ＴＳをパケット毎に分割して複数の伝送帯域を介して受信し、該分割したパケットを合成すると共に時刻基準情報を再スタンプするＰＣＲ再スタンプ方法であって、複数の伝送路を介して複数のパケットを受信する受信ステップと、前記受信したパケットを１つのストリームとして合成する合成ステップと、該合成ステップにパケットが到着した時刻ｔ１を検出する第１検出ステップと、前記合成ステップにより合成したパケットとヌルパケットとを多重化する多重化ステップと、該多重化ステップにより多重化されたパケットの出力時刻ｔ２を検出する第２検出ステップと、該第２ステップにより検出した時刻ｔ２から第１ステップで検出した時刻ｔ１を減算した値にパケットに記載されている時刻Ｔに加算した時刻を再スタンプする再スタンプステップとを実行することを第２の特徴とする。
【発明の効果】
【００１５】
本発明は、複数の伝送路を介した複数のＭＰＥＧ−ＴＳパケットを合成するときの時刻ｔ１を検出すると共に、合成したパケットを多重化したときの時刻Ｔ２を検出し、前記時刻ｔ２から時刻ｔ１を減算した値にパケットに記載されている時刻Ｔに加算した時刻を再スタンプすることにより、伝送経路において発生した伝送路間遅延の影響を受けずに合成を行うことができ、従ってＰＣＲジッタの発生を防止することができる。
【発明を実施するための最良の形態】
【００１６】
以下、本発明によるＰＣＲ再スタンプ装置を適用したＭＰＥＧ−ＴＳ合成装置の一実施形態を図１を参照して説明する。
【００１７】
図１に示したＭＰＥＧ−ＴＳ合成装置は、２つの伝送路１１１及び１１２を介してＰＣＲパケットを受信する受信用バッファ１２１及び１２２と、前記受信用バッファ１２１及び１２２で受信したＰＣＲパケットを合成するための合成用バッファ１３と、該合成用バッファ１３にパケットが到着した時刻を検出する検出回路１７と、ＭＰＥＧ−ＴＳ合成装置の出力タイミングに合わせて前記合成用バッファ１３からのパケットとヌルバッファ１４からのヌルパケットとを多重化する多重化回路（ＭＵＸ）１５と、該多重化回路１５から出力されたパケットの出力時刻を検出する検出回路１６１と、該検出回路１６１で検出した時刻を後述する式に従って演算して補正時刻を算出する演算回路１６２と、該演算回路で演算した補正時刻を用いてパケットに再スタンプする再スタンプ回路１６３とから構成される。前記回路１６１〜１６３によってＰＣＲ再スタンプ処理部１６が形成される。
【００１８】
この様に構成したＭＰＥＧ−ＴＳ合成装置は、伝送経路１１１を通って到着したパケットを受信用バッファ１２１に蓄積すると共に伝送経路１１２を通って到着したパケットを受信用バッファ１２２に蓄積し、夫々の受信用バッファ１２１及び１２２から伝送経路１１１のパケットの受信タイミングに同期して、受信用バッファ１２１及び１２２より読出し合成し１つのストリームとして、ＰＣＲパケットの到着時刻ｔ１を検出回路１７により検出しながら、合成用バッファ１３に蓄積する。
【００１９】
本装置は、これ以降は従来と同様にＭＰＥＧ−ＴＳ合成装置の出力タイミングに合わせて、合成用バッファ１３からのパケットとヌルバッファ１４からのヌルパケットを多重化回路１５において多重化した後に、ＰＣＲ再スタンプ処理部１６で再スタンプを実行する。この際、多重化回路１５を通過後の時刻をｔ２とする。従って、本装置での内部遅延はｔ３＝ｔ２−ｔ１となる。
このｔ３をＰＣＲパケットに記載されている時刻情報Ｔに加算する事により、本装置は、ＰＣＲ再スタンプを実行する。
【００２０】
即ち本実施形態によるＭＰＥＧ−ＴＳ合成装置は、受信用バッファ１２１及び１２２から片方の伝送経路に同期したタイミングで読出し合成するとき、受信用バッファ１２１及び１２２の後段にＰＣＲパケット到着時刻検出回路１７を配置し、ＰＣＲパケットの該バッファ１３への到着時刻の検出を行う事により、分割されたＭＰＥＧ−ＴＳストリームを合成後の元の１つのストリームとして扱うため、パケットの伝送路間遅延を吸収することができ、ＰＣＲパケットの遅延Δｔを吸収することができる。
【図面の簡単な説明】
【００２１】
【図１】本発明によるＰＣＲ再スタンプ装置を適用したＭＰＥＧ−ＴＳ合成装置の一実施形態を示す図。
【図２】従来技術によるＰＣＲ再スタンプ装置を適用したＭＰＥＧ−ＴＳ合成装置の一例を示す図。
【符号の説明】
【００２２】
１３：合成用バッファ、１４：ヌルバッファ、１５：多重化回路、１６：再スタンプ処理部、１７：パケット到着時刻検出回路、２３：合成用バッファ、２４：ヌルバッファ、２５：多重化回路、２６：再スタンプ処理部、１１１：伝送経路、１１２：伝送経路、１２１：受信用バッファ、１２２：受信用バッファ、１６１：検出回路、１６２：演算回路、１６３：再スタンプ処理部、２１１：伝送経路、２１２：伝送経路、２２１：受信用バッファ、２２１：受信用バッファ、２６１：検出回路、２６２：演算回路、２６３：再スタンプ処理部、２７１：検出器。
【図１】
2005244367.tif 000003
【図２】
2005244367.tif 000004